(57)【特許請求の範囲】
【請求項１】
ケーシング内部に空間が形成された装置本体と、人体の局部を洗浄するための洗浄水を吐出する吐水手段と、を備えた衛生洗浄装置において、
前記装置本体の空間内には、前記吐水手段の少なくとも洗浄水を供給する洗浄水供給手段と、制御手段が配置され、
前記制御手段は、前記吐水手段を制御する第１制御手段と、第２制御手段と、を有し
前記第２制御手段の下面は、前記第１制御手段の下面より高い位置に取り付けられ、
前記第２制御手段は、人体を検知する人体検知手段からの信号処理を行う
ことを特徴とする衛生洗浄装置。
【請求項２】
前記第２制御手段はさらに便蓋開閉手段の制御を行う
ことを特徴とする請求項１に記載の衛生洗浄装置。
【請求項３】
前記ケーシング内部は下方より上方の容積が小さい空間が形成されており、
前記第２制御手段は前記第１制御手段より容量が小さい
ことを特徴とする請求項２に記載の衛生洗浄装置。
【請求項４】
前記ケーシングはケースカバーとケースプレートからなり、
前記ケースカバーの上面の前方の高さは後方より低く、
前記便蓋は閉じた状態で前記ケーシングの前方に被るように取り付けられ、
前記ケースプレートの下面は後方から前方にかけて低くなる斜面を有し、
前記第１制御手段及び前記第２制御手段は共に前記ケーシング後方に取り付けられている
ことを特徴とする請求項３に記載の衛生洗浄装置。
【請求項５】
前記第１制御手段は前記ケースプレートに取り付けられ、
前記第２制御手段は前記ケースカバーに取り付けられる
ことを特徴とする請求項４に記載の衛生洗浄装置。
【請求項６】
前記人体検知手段と前記便蓋開閉手段は前記第２制御手段を介して前記第１制御手段に接続され、
前記第１制御手段と前記第２制御手段を接続する接続線は前記ケースカバーと前記ケースプレートが組み合わさった状態でたわむ長さである
ことを特徴とする請求項５に記載の衛生洗浄装置。
【請求項７】
第２制御手段は、第１制御手段の異常時に人体検知以外の第３制御を実行する
ことを特徴とする請求項１に記載の衛生洗浄装置。
【発明の詳細な説明】
【技術分野】
【０００１】
本発明は、人体の局部を洗浄するための洗浄水を吐出する衛生洗浄装置に関する。
【背景技術】
【０００２】
洋式腰掛便器等の便器に搭載されて人体の局部を洗浄するための洗浄水を吐出する衛生洗浄装置は、筐体をなすケーシング内に複数の機能手段として各種の装置・機器を内蔵した装置本体部を有する。装置本体部のケーシングには、便器に対して設けられる便座および便蓋が回動可能に支持されている。
【０００３】
装置本体部のケーシングとして、ケーシングの底部をなすケースプレートと、ケースプレートを上側から覆うケースカバーとを有する構成のものがある。ケースプレートおよびケースカバーにより、各種の装置・機器が配設されるケーシングの内部空間が形成される。
【０００４】
従来、ケーシングに対する装置・機器の配置構成として、次のような構成が用いられている。すなわち、便座および便蓋のそれぞれを開閉させる電動開閉装置、使用者の存在を検知する人体検知手段、局部洗浄水を供給するノズルをはじめとした洗浄水供給手段等及びこれらの装置・機器を駆動する制御回路を実装した制御手段がケーシングの内部空間に設けられている。そして、これらのケーシングに内蔵される各種の装置・機器については、その一部がケースカバー側に設けられ、その他がケースプレート側に設けられる。
【０００５】
ケーシングに内蔵される装置・機器の構成として、例えば、特許文献１に開示されているように、洗浄水供給手段がケースプレート側に取り付けられ、制御手段がケースカバー側に取り付けられたものがある。
【先行技術文献】
【特許文献】
【０００６】
【特許文献１】特開２０１８−１２７８４９
【発明の概要】
【発明が解決しようとする課題】
【０００７】
近年では、衛生洗浄装置の機能が増えているために制御手段には大きい容量が求められており、結果として制御手段が大型化してしまう傾向にある。これにより、特許文献１のように内部空間の上方であるケースカバー側に取り付ける構成であると、ケーシングの大型化・高床化を招き、デザイン性を向上していく上で支障がある。
【０００８】
この課題を解決するために、ケースカバー側よりも比較的空間広さがあるケースプレート側に制御手段を取り付けることで、ケーシングの小型化を図る構成が挙げられる。しかしながら、ケースプレート側には洗浄水供給手段が設けられており、漏水するなどして内部空間の下方にある制御手段が水没し、衛生洗浄装置の不具合・誤作動が起きる可能性が高まるという新たな課題が生まれてしまう。
【０００９】
以上のように、従来の衛生洗浄装置の構成によれば、衛生洗浄装置の不具合リスクの低減とケーシングの小型化・低床化によるデザイン性の向上の両立は困難であった。
【００１０】
本発明は、上記のような問題点に鑑みてなされたものであり、衛生洗浄装置の不具合リスクの低減とケーシングの小型化・低床化によるデザイン性の向上とを両立し、ケーシング内の水漏れによる不具合の心配なく安心して長く使用して頂けながら、今までにない低床のデザイン等、顧客のニーズにマッチしたデザイン性の高い衛生洗浄装置の提供を可能とするものである。
【課題を解決するための手段】
【００１１】
本発明の一態様に係る衛生洗浄装置は、人体の局部を洗浄するための洗浄水を吐出する吐水手段を備えた衛生洗浄装置において、ケーシング内部に空間が形成された装置本体と、前記装置本体の空間内には、前記吐水手段の少なくとも洗浄水を供給する洗浄水供給手段と、制御手段が配置され、前記制御手段は、前記吐水手段を制御する第１制御手段と、第２制御手段とから構成され、前記第２制御手段の下面は、前記第１制御手段の下面より高い位置に取り付けられ、前記第２制御手段は、人体を検知する人体検知手段からの信号処理を行う。
【００１２】
この構成によれば、制御手段を第１制御手段と第２制御手段に分けることで、ケーシング内部空間における配置の自由度が上がり、ケーシングを小型化・低床化でき、デザイン性を向上することができる。さらに、第２制御手段を第１制御手段の上方に配置することにより第１制御手段が被水しても第２制御手段は被水する可能性が低い。さらに第２制御手段が人体検知手段をコントロールすることによる、第１制御手段が被水して不具合・誤作動を起こした際、少なくとも人体を検知することが可能になるので不具合リスクが低減される効果を奏する。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【００１３】
本発明の一態様に係る衛生洗浄装置は、前記第２制御手段はさらに便蓋開閉手段の制御を行う。
【００１４】
この構成によれば、第１制御手段が被水して不具合・誤作動を起こした際、被水しない第２制御手段によって少なくとも人体を検知して便蓋をあけることが可能になる。第２制御手段によって人体検知手段及び便蓋開閉手段がコントロールされていない場合では奏することができない、使用者は一先ず大便器を使用できるという効果を奏する。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【００１５】
本発明の一態様に係る衛生洗浄装置において、好ましくは、前記ケーシング内部は下方より上方の容積が小さい空間が形成されており、前記第２制御手段は前記第１制御手段より容量が小さい。
【００１６】
この構成によれば、ケーシング内部空間の容積が小さい上方に容量が小さい小型の第２制御手段を取り付け、第２制御手段が取り付けられている上方よりも比較的空間長さがある下方に第１制御手段を置くため、大きい第１制御手段をケーシング上方に取り付けられる空間を設けるよりも衛生洗浄装置の小型化・低床化を図ることができる。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【００１７】
本発明の一態様に係る衛生洗浄装置において、好ましくは、前記ケーシングはケースカバーとケースプレートからなり、前記ケースカバーの上面の前方の高さは後方より低く、前記便蓋は前記ケーシングの前方に被るように取り付けられ、前記ケースプレートの下面は前記ケーシング内に発生した水を前記ケーシング前方に流すため後方から前方にかけて低くなる斜面であり、前記第１制御手段及び前記第２制御手段は共に前記ケーシング後方に取り付けられている。
【００１８】
この構成によれば、衛生洗浄装置において最適な小型化を実現できる。さらにケースプレートに溜まった漏水や結露により発生した水がケーシング前方に流れるので、ケーシング後方に取り付けられている制御手段は被水する可能性がより小さくなる。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【００１９】
本発明の一態様に係る衛生洗浄装置において、好ましくは、前記第１制御手段は前記ケースプレートに取り付けられ、前記第２制御手段は前記ケースカバーに取り付けられる。
【００２０】
この構成によれば、洗浄水供給手段から漏水した際、ケースプレートに溜まった水がケースカバーとケースプレートの間から排水されるので、ケースカバーに水が浸入する可能性が低くなる。ケースプレートに第２制御手段が取り付けられるよりも、第２制御手段が被水する可能性がさらに低減される。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【００２１】
本発明の一態様に係る衛生洗浄装置において、好ましくは、前記人体検知手段と前記便蓋開閉手段は前記第２制御手段を介して前記第１制御手段に接続され、前記第１制御手段と前記第２制御手段を接続する接続線は前記ケースカバーと前記ケースプレートが組み合わさった状態でたわむ長さである。
【００２２】
この構成によれば、ケースカバーに取り付けられた機能手段とケースプレートに取り付けられた制御手段を接続する接続線は、ケースカバーとケースプレートが組み合わされていないときにも接続状態を保つことが可能なようにある程度長さを持たせる必要があるが、接続線の本数が増えると組み合わせる際に接続線がかさばるため、ケーシングの大型化につながる懸念がある。この構成によれば、ケースカバーに取り付けられた機能は同じくケースカバーに取り付けられた第２制御手段を介して、第２制御手段から延びる接続線によってケースプレートに取り付けられた第１制御手段に接続されるため、接続線の本数を低減することができる。さらに、第２制御手段から第１制御手段に延びる接続線はたわむことにより、ケーシングに振動が加えられるなどして発生した水が跳ねて接続線に付着した際、接続線に沿ってたわみに水が集まって落ちるため、制御手段に水が向かうことを抑制できる。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【００２３】
本発明の一態様に係る衛生洗浄装置において、好ましくは、第２制御手段は、第１制御手段の異常時に人体検知以外の第３制御を実行する。
【００２４】
この構成によれば、第１制御手段の異常時に人体検知以外の第３制御を第２制御手段が実行するので、第１制御手段の異常時に使用者がより第１制御手段の異常なし時に近い状態で使用できる。したがって、ケーシング内の水漏れによる不具合の心配なく安心して長く使用して頂けながら、今までにない低床のデザイン等、顧客のニーズにマッチしたデザイン性の高い衛生洗浄装置の提供を可能とする。
【発明の効果】
【００２５】
本発明の技術によれば、ケーシング内の水漏れによる不具合の心配なく安心して長く使用して頂けながら、今までにない低床のデザイン等、顧客のニーズにマッチしたデザイン性の高い衛生洗浄装置の提供を可能とするものである。
【図面の簡単な説明】
【００２６】
【図１】本発明の一実施形態に係る衛生洗浄装置を備えたトイレ装置を示す斜視図である。
【図２】本発明の一実施形態に係る衛生洗浄装置の内部構造を示す平面図である。
【図３】本発明の一実施形態に係る衛生洗浄装置における制御システム図である。
【図４】本発明の一実施形態に係る衛生洗浄装置の図１におけるＡ−Ａ´側部断面図である。
【図５】本発明の一実施形態に係る第２制御手段の検査手順の一例を示すフロー図である。
【発明を実施するための形態】
【００２７】
以下、本発明の実施の形態について図面を参照して説明する。本実施形態では、衛生洗浄装置が、トイレ装置において洋式腰掛便器の上に設置された構成を例にとって説明する。
【００２８】
図１に示すように、本実施形態に係るトイレ装置１は、人体（使用者）の局部を洗浄するための洗浄水を吐出する衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００２９】
便器３は、上側を開放側とした凹状のボウル部３ａを有する。便器３は、ボウル部３ａにおいてトイレ装置１の使用者の尿や便などの排泄物を受ける。
【００３０】
衛生洗浄装置２は、筐体をなすケーシング５内に複数の機能手段としての各種の装置・機器を有する装置本体部４と、装置本体部４のケーシング５に対して回動可能に支持された便座６および便蓋７とを備える。衛生洗浄装置２は、便器３に対して、装置本体部４をボウル部３ａの後方の上側に位置させ、便座６および便蓋７の回動動作によってボウル部３ａの上側の開放部を開閉するように設けられる。
【００３１】
近年衛生洗浄装置２の機能が増えたうえ、ケーシング５の低床化等によるデザイン性の高い衛生洗浄装置２が顧客から求められているため、ケーシング５を小型化・低床化しようと複数の機能手段がケーシング５の内部空間に隙間なく配置されている。(図２参照)
【００３２】
ここで、本実施形態に係る衛生洗浄装置２の装置本体部４におけるケーシング５の内の装置の配置構成について、図３を用いて説明する。図３に示すように、ケーシング５は平面視で左右方向を長手方向とする略矩形状を有する。
【００３３】
ケーシング５は、ケーシング５の底部をなす下ケース部材としてのケースプレート５ａと、ケースプレート５ａを上側から覆い、ケースプレート５ａとともにケーシング５の内部空間を形成する上ケース部材としてのケースカバー５ｂとを有する。ケースプレート５ａおよびケースカバー５ｂそれぞれに対し、ケーシング５に内蔵される報知部６５、着座検知センサ１３、便座サーミスタ１６、人体検知センサ１２、便蓋開閉用モータ５１５１、便蓋開閉用モータ５２５２を含む各種の装置・機器が設置されており、それらを制御する制御手段が設けられている。
【００３４】
制御手段は第１制御手段と第２制御手段からなる。第１制御手段である第１マイコン１０は、各種演算処理や制御を実行する演算処理装置としてのＣＰＵ（Central Processing Unit）、ＲＡＭ（random access memory）やＲＯＭ（read only memory）等の記憶装置、データ入出力用の入出力インターフェイス等の入出力装置（入出力回路）、クロック回路等の周辺回路等をバス等により接続させるとともに基板１０ａに実装した構成を備えたものであり、必要に応じてカバーなどの保護部を有する。衛生洗浄装置２におけるメインの制御手段として機能する。第１マイコン１０のＣＰＵは、ＲＯＭ等に記憶された各種のプログラムに従って演算処理を行う。第１マイコン１０は、洗浄水供給手段１４やノズルユニット１５等の各部の動作を制御する。
【００３５】
第２制御手段である第２マイコン２０は、各種演算処理や制御を実行する演算処理装置としてのＣＰＵ、ＲＡＭやＲＯＭ等の記憶装置、データ入出力用の入出力インターフェイス等の入出力装置（入出力回路）、クロック回路等の周辺回路等をバス等により接続させるとともに基板２０ａに実装した構成を備えたものであり、必要に応じてカバーなどの保護部を有する。衛生洗浄装置２におけるサブの制御手段として機能する。第２マイコン２０のＣＰＵは、ＲＯＭ等に記憶された各種のプログラムに従って演算処理を行う。第２マイコン２０は、電気や信号を送るための接続線であるワイヤハーネス３０により第１マイコン１０に接続されている。(図４参照)第２マイコン２０は、人体検知センサ１２等からの検出信号の入力を受け、これらの入力信号に基づいて便蓋開閉用モータ５１、便蓋開閉用モータ５２を含む各部の動作を制御する。
【００３６】
以上のように、ケーシング５内に複数の機能手段としての各種の装置・機器を内蔵した装置本体部４を備えた衛生洗浄装置２は、制御手段として、第１マイコン１０および第２マイコン２０を備える。そして、衛生洗浄装置２は、これらの制御手段による制御構成、およびケーシング５に対する装置・機器の配置構成として、ケーシング５を構成するケースプレート５ａおよびケースカバー５ｂの各ケース部材に対して制御手段を配置するとともに、各ケース部材に対して配設した装置・機器を、そのケース部材に配置した制御手段により独立して制御可能な構成を備えている。
【００３７】
すなわち、衛生洗浄装置２において、ケースプレート５ａには、装置本体部４がケーシング５内に有する複数の機能手段の一部である第１機能手段群と、第１機能手段群の各機能手段を制御する第１マイコン１０とが設けられている。また、上ケース部材であるケースカバー５ｂには、ケーシング５内に有する複数の機能手段のうち第１機能手段群以外の機能手段の少なくとも一部である第２機能手段群と、第２マイコン２０とが設けられている。第２マイコン２０は、ワイヤハーネス３０によって第１マイコン１０と接続される一方、独立して第２機能手段群の各機能手段の制御が可能な制御手段である。
【００３８】
装置本体部４は、第１マイコン１０および第２マイコン２０に電力を供給する電源部としての電源基板４５を備えている。電源基板４５は、ケースプレート５ａに設けられている。
【００３９】
電源基板４５は、例えば、ＡＣ／ＤＣコンバータ、ＤＣ／ＤＣコンバータ等の電源回路、マイコン、リレー等を有し、差込みプラグを介して商用の交流電源あるいはバッテリ等の電源に接続されるとともに、第１マイコン１０に接続されている。電源基板４５は、電源から供給された交流電流を直流電流に変換してから電圧の変換や安定化を行い、第１マイコン１０に供給する。電源基板４５は、例えば、交流から変換した直流の電圧を２４Ｖから５Ｖに変換して第１マイコン１０に供給する。第１マイコン１０の基板１０ａは、ＤＣ（direct current）基板であり、電圧の変換や安定化を行うためのＤＣ／ＤＣコンバータ等を有する。電源基板４５から供給される電力は、第１マイコン１０に供給され、第１マイコン１０からワイヤハーネス３０を介して第２マイコン２０に供給される。
【００４０】
人体検知センサ１２は、装置本体部４に近付いた人体を検知するものであり、トイレ装置１が設置されたトイレルーム内に入室した使用者を検知するセンサである。つまり、人体検知センサ１２は、トイレルーム内に入室して便器３に近付き便器３の前方に存在する使用者を検知する。人体検知センサ１２は、例えば、赤外線信号を利用した焦電センサや、マイクロ波を用いたマイクロ波ドップラセンサ等の電波センサである。人体検知センサ１２は、第２マイコン２０に接続されており、検知信号を第２マイコン２０に対して出力する。
【００４１】
衛生洗浄装置２は、ケーシング５内に設けられる構成として、装置本体部４に対して設けられた便座６および便蓋７を駆動させる電動駆動部としての電動開閉ユニット５０を備える。
【００４２】
衛生洗浄装置２は、電動開閉ユニット５０として、便座６を回動させて開閉させるための便座用電動開閉ユニット５０Ａと、便蓋７を回動させて開閉させるための便蓋用電動開閉ユニット５０Ｂとを有する。便座用電動開閉ユニット５０Ａおよび便蓋用電動開閉ユニット５０Ｂは、ケーシング５内において、右側の側面近傍に設けられており、それぞれ便座６または便蓋７を回動させるように軸支している。便座６および便蓋７は、トイレ装置１の人体検知センサ１２のセンサ出力等に応じて、便座用電動開閉ユニット５０Ａおよび便蓋用電動開閉ユニット５０Ｂが駆動し、電動開閉ユニット５０により開閉動作する。
【００４３】
洗浄水供給手段１４は、水道や貯水タンク等の所定の給水源９からの給水を受け、供給された洗浄水（水）を、ノズル３１へと供給する。洗浄水供給手段１４は、給水源(図示略)と接続された給水管により給水を受ける。洗浄水供給手段１４は、給水管が接続された給水管接続部（図示略）と、ノズルユニット１５と、バルブユニット２１と、熱交換器ユニット２２と、電解槽２３とを有する。給水管の出口は左後ろに設けられており、ケーシング５の内部空間における洗浄水供給手段１４の占めるスペースを少なくするために洗浄水供給手段１４はケーシング５の左側に取り付けられる。
【００４４】
洗浄水供給手段１４はケーシング５のケースプレート５ａに対する一体的な取付体として構成されている。ノズル３１は、その長手方向の一側（前端側）に、洗浄水を吐出する複数の吐水孔３６を有する。これらの吐水孔３６は、ノズル３１の先端部の上側に設けられている。吐水孔３６に供給された洗浄水は、吐水孔３６から上方へ向けて吐出され、便座６に着座した状態の使用者の局部洗浄に用いられる。
【００４５】
衛生洗浄装置２は、ケーシング５内に設けられる構成として、風系ユニットとしての温風乾燥ユニット４１および脱臭ユニット４２を備える。
【００４６】
ケースプレート５ａ上におけるノズルユニット１５の右側のスペースには、温風乾燥ユニット４１および脱臭ユニット４２が配設されている。温風乾燥ユニット４１は、ノズルユニット１５の右側近傍の位置にて、ケースプレート５ａ上の前後方向の略全体にわたって延設されている。温風乾燥ユニット４１の右側に、脱臭ユニット４２が設けられている。
【００４７】
脱臭ユニット４２を含む風系ユニットはケーシング５の内部空間におけるケースプレート５ａ側の右側に、洗浄水供給手段１４を含む水系ユニットはケースプレート５ａ側の左側に配置されている。対して、第１マイコン１０は水系ユニットがある左側に、第２マイコン２０は風系ユニットがある右側に配置されている。この構成によれば、第２マイコン２０が水系ユニットから離れているため被水する可能性が低くなる。
【００４８】
ここで、本実施形態に係る衛生洗浄装置２の装置本体部４におけるケーシング５の内の第１マイコン１０と第２マイコン２０の配置構成について、図４を用いて説明する。図４は理解を促すための概略図であり、実際には図２に示すように複数の機能手段が隙間なく配置されている。図４において、ケーシング５の最下面と最高面の距離を分けた距離ｃと距離ｄは均等であり、距離ｃの範囲にかかるケーシング５の内部空間を上方、距離ｄの範囲にかかるケーシング５の内部空間を下方とする。さらに図２において、ケーシング５の最前面と最後面の距離を分けた距離aと距離bは均等であり、距離aの範囲にかかるケーシング５の内部空間を後方、距離bの範囲にかかるケーシング５の内部空間を前方とする。
【００４９】
図４に示すように、第２マイコン２０の下面２０ｂは、第１マイコン１０の下面１０ｂより高い位置に取り付けられている。マイコンにカバーなどの保護部が付けられているときは、カバーを含めた時の最下面を下面とする。この構成によれば、制御手段を第１マイコン１０と第２マイコン２０に分けることで、ケーシング５の内部空間における配置の自由度が上がり、ケーシング５を小型化・低床化でき、デザイン性を向上することができる。さらに、第２マイコン２０を第１マイコン１０の上方に配置することにより第１マイコン１０が被水しても第２マイコン２０は被水する可能性が低い。さらに第２マイコン２０が人体検知セン１２をコントロールすることにより、第１マイコン１０が被水して不具合・誤作動を起こした際、少なくとも人体を検知することが可能になるので不具合リスクが低減される効果を奏する。
【００５０】
さらに前述したとおり、第２マイコン２０はさらに便蓋７の開閉の制御を行っているため、第１マイコン１０が被水して不具合・誤作動を起こした際、被水しない第２マイコン２０によって少なくとも人体を検知して便蓋７をあけることが可能になる。第２マイコン２０によって人体検知センサ１２及び便蓋７の開閉がコントロールされていない場合では奏することができない、使用者は一先ず大便器を使用できるという効果を奏する。
【００５１】
ケーシング５内部は下方より上方の容積が小さい空間が形成されており、第２マイコン２０は第１マイコン１０より容量が小さい。容量はすなわちマイコンの持つPINの数であり、PINの数が多いほど大きいとしている。ケーシング５の内部空間の容積が小さい上方に容量が小さい小型の第２マイコン２０を取り付け、第２マイコン２０が取り付けられている上方よりも比較的空間長さがある下方に第１マイコン１０を置くため、大きい第１マイコン１０をケーシング５上方に取り付けられる空間を設けるよりも衛生洗浄装置２の小型化・低床化を図ることができる。
【００５２】
ケーシング５はケースカバー５ｂとケースプレート５ａからなり、ケースカバー５ｂの上面の前方の高さは後方より低く、便蓋７はケーシング５の前方に被るように取り付けられ、ケースプレート５ａの下面はケーシング５内に発生した水をケーシング５前方に流すため後方から前方にかけて低くなる斜面であり、第１マイコン１０及び第２マイコン２０は共にケーシング５後方に取り付けられている。この構成によれば、衛生洗浄装置２において最適な小型化を実現できる。さらにケースプレート５ａに溜まった漏水や結露により発生した水がケーシング５前方に流れるので、ケーシング５後方に取り付けられている制御手段は被水する可能性がより小さくなる。
【００５３】
第１マイコン１０はケースプレート５ａに取り付けられ、第２マイコン２０はケースカバー５ｂに取り付けられる。この構成によれば、洗浄水供給手段１４から漏水した際、ケースプレート５ａに溜まった水がケースカバー５ｂとケースプレート５ａの間から排水されるので、ケースカバー５ｂに水が浸入する可能性が低くなる。ケースプレート５ａに第２マイコン２０が取り付けられるよりも、第２マイコン２０が被水する可能性がさらに低減される。
【００５４】
人体検知センサ１２や便蓋開閉手段用モータ５２は第２マイコン２０を介して第１マイコン１０に接続され、第１マイコン１０と第２マイコン２０を接続するワイヤハーネス３０はケースカバー５ｂとケースプレート５ａが組み合わさった状態でたわむ長さである。この構成によれば、ケースカバー５ｂに取り付けられた機能手段とケースプレート５ａに取り付けられた制御手段を接続するワイヤハーネス３０は、ケースカバー５ｂとケースプレート５ａが組み合わされていないときにも接続状態を保つことが可能なようにある程度長さを持たせる必要があるが、ワイヤハーネス３０の本数が増えると組み合わせる際にワイヤハーネス３０がかさばるため、ケーシング５の大型化につながる懸念がある。この構成によれば、ケースカバー５ｂに取り付けられた機能はケースカバー５ｂに取り付けられた第２マイコン２０を介して、第２マイコン２０から延びるワイヤハーネス３０によってケースプレート５ａに取り付けられた第１マイコン１０に接続されるため、ワイヤハーネス３０の本数を低減することができる。さらに、第２マイコン２０から第１マイコン１０に延びるワイヤハーネス３０はたわむことにより、ケーシング５に振動が加えられるなどして発生した水が跳ねてワイヤハーネス３０に付着した際、ワイヤハーネス３０に沿ってたわみに水が集まって落ちるため、各制御手段に水が向かうことを抑制できる。
【００５５】
ケーシング５内部は下方より上方の容積が小さい空間が形成されており、第２マイコン２０は第１マイコン１０より容量が小さい。ケーシング５の内部空間の容積が小さい上方に容量が小さい小型の第２マイコン２０を取り付け、第２マイコン２０が取り付けられている上方よりも比較的空間長さがある下方に第１マイコン１０を置くため、大きい第１マイコン１０をケーシング５上方に取り付けられる空間を設けるよりも衛生洗浄装置２の小型化・低床化を図ることができる。
【００５６】
ここで、本発明の一実施形態に係る第２制御手段の検査手順の一例について、図５を用いて説明する。
【００５７】
第２制御手段である第２マイコン２０は、第１マイコン１０の異常時に人体検知以外の第３制御を実行する。第１マイコン１０の異常時に通常時の制御(人体検知)以外の第３制御を第２マイコン２０が実行するので、第１マイコン１０の異常時に使用者がより第１マイコン１０の異常なし時に近い状態で使用できる。
【００５８】
第３制御は例えばボウル部３ａを流水で洗浄する便洗機能である。この構成によれば、第１マイコン１０の異常時でも使用者は便器を連続して使用することができる。
【００５９】
第２マイコン２０が第１マイコン１０の異常を判断する手段として、第２マイコン２０に第１マイコン１０の異常を検知する機能が備えられている。この構成によれば、異常検知のために新たな部品をケーシング５内に取り付ける必要がなくなり、小型化を図ることができる。また、第１マイコン１０の異常を判断し、第２マイコン２０に報告する第３手段（図示略）が設けられても良い。
【符号の説明】
【００６０】
１      トイレ装置
２      衛生洗浄装置
４      装置本体部
５      ケーシング
５ａ    ケースプレート
５ｂ    ケースカバー
６      便座
７      便蓋
１０    第１マイコン
１２    人体検知センサ
１３    着座検知センサ
２０    第２マイコン
３０    ワイヤハーネス
【要約】
【課題】ケーシング内の水漏れによる不具合の心配なく安心して長く使用して頂けながら、今までにない低床のデザイン等、顧客のニーズにマッチしたデザイン性の高い衛生洗浄装置の提供を可能とするものである。ことを目的とする。
【解決手段】制御手段は、吐水手段を制御する第１制御手段と、第２制御手段と第２制御手段の下面は、第１制御手段の下面より高い位置に取り付けられ、第２制御手段は、人体を検知する人体検知手段からの信号処理を行う。
【選択図】図４【図１】
0006752454.tif 000002
【図２】
0006752454.tif 000003
【図３】
0006752454.tif 000004
【図４】
0006752454.tif 000005
【図５】
0006752454.tif 000006